(57)【要約】      （修正有）【課題】自動的にどちらの手で操作を行っているのかを判定し、操作を行っている方の手に適した入力操作が可能な画面表示を行う。【解決手段】表示部１８０と、その表面に配置された入力部１７０と、所定の画像を生成して表示部１８０に表示させる画像制御部１０１と、利き手判定部１０２と、を備えた通信端末装置１０であって、ロックモードにおいてユーザがロック解除操作を行った際に、利き手判定部１０２は、右手によって操作されたか左手によって操作されたかを判定し、右手によって操作されたと判定した場合には、ロックモードを解除して右手操作モードに移行し、左手によって操作されたと判定した場合にはロックモードを解除して左手操作モードに移行する。【選択図】図１
2014041498.tif 000002
【特許請求の範囲】
【請求項１】
表示部と、
該表示部の表面に配置された入力部と、
所定の画像を生成して前記表示部に表示させる画像制御部と、
利き手判定部と、を備えた通信端末装置であって、
該通信端末装置は、前記画像制御部がロック画面を生成して前記表示部に表示するとともに前記入力部に対するロック解除操作以外の入力を受け付けないロックモードと、前記画像制御部が入力用の画像を右手入力用の配置態様で前記表示部に表示する右手操作モードと、前記画像制御部が入力用の画像を左手入力用の配置態様で前記表示部に表示する左手操作モードとを備えており、
前記ロックモードにおいてユーザがロック解除操作を行った際に、前記利き手判定部は、右手によって操作されたか左手によって操作されたかを判定し、右手によって操作されたと判定した場合には、前記ロックモードを解除して前記右手操作モードに移行し、左手によって操作されたと判定した場合には前記ロックモードを解除して前記左手操作モードに移行することを特徴とする通信端末装置。
【請求項２】
前記利き手判定部は、ロック解除操作時の入力軌跡の方向に基づいて右手によって操作されたか左手によって操作されたかを判定することを特徴とする請求項１に記載の通信端末装置。
【請求項３】
前記利き手判定部は、ロック解除操作時に、ロック解除操作のための第１の接触とは異なる位置に対する第２の接触又は接近があった場合に、当該第２の接触又は近接が前記第１の接触の右側に位置するか左側に位置するかに基づいて右手によって操作されたか左手によって操作されたかを判定することを特徴とする請求項１に記載の通信端末装置。
【請求項４】
前記通信端末装置は、前記表示部の表面側に向けられた撮像部を備え、
前記利き手判定部は、前記撮像部によって前記ロック解除操作時に撮影した映像に基づいて右手によって操作されたか左手によって操作されたかを判定することを特徴とする請求項１に記載の通信端末装置。
【請求項５】
前記利き手判定部によってどちらの手によって操作されたか判定できなかった場合に、前記通信端末装置が操作モードを設定する画面を前記表示部に表示することを特徴とする請求項２〜４のいずれかに記載の通信端末装置。
【発明の詳細な説明】
【技術分野】
【０００１】
本発明は、通信端末装置、表示部上にタッチスクリーン等の入力手段が設けられた通信端末装置に関する。
【背景技術】
【０００２】
タブレット型コンピュータ、スマートフォン、携帯情報端末等の携帯用の電子機器は、液晶パネル等で構成される表示部の表面上にタッチパネル等の入力手段が設けられている。このような電子機器においては、液晶パネルを利用して入力用のソフトウェアボタンを表示し、ユーザはそれを視認しながら液晶パネル上のタッチパネルを手指やスタイラス等で接触する等の操作をすることによって入力を行う。
【０００３】
しかしながら、大抵の携帯用電子機器は、右手で使用しやすいように設計されている。液晶パネルに表示されるソフトウェアボタンやポップアップ表示の配置等も、右手で入力しやすいように設計されているため、左手で入力を行うと使用しにくい場合がある。例えば、スタイラスを用いて手書きの文字入力を行うような場合に、大抵は、入力用のスペースが表示され、入力した文字の左上に入力文字の判定結果を表示したり、他のポップアップが表示される他、入力用のスペースの左側に他のソフトウェアボタン等が表示されたりする。仮にこのような手書きの文字入力画面に対して左手でスタイラスを把持して入力を行った場合、画面視認性や操作性が著しく低下するような事態が生じる。具体的には、ポップアップ表示やソフトフェアボタンが文字入力を行っている左手の影に隠れてしまったり、入力を行っている手の腹や指等で誤ってホーム画面等に復帰してしまうホームボタン等のソフトウェアボタンに触れてしまったりするといったことである。
【０００４】
そのため、下記特許文献１は、右手操作モードと左手操作モードを有する端末装置を開示している。この端末装置によると、右手操作モードに設定されている場合には、右側方に操作部が位置するように画像が表示され、右手での操作が行いやすいようになる。また、左手操作モードに設定されている場合には、左側方に操作部が位置するように画像が表示され、左手による操作が行いやすくなる。
【先行技術文献】
【特許文献】
【０００５】
【特許文献１】特開２００９−２１１１５９号公報
【発明の概要】
【発明が解決しようとする課題】
【０００６】
しかしながら、上記特許文献１に開示された端末装置においては、右手操作モードと左手操作モードは、ユーザが予め設定しておかなければならないという問題点があった。
【０００７】
そこで、本発明の目的は、右手操作モードと左手操作モードを有する通信端末装置において、予めモード設定等の煩雑な設定操作をすることなく、自動的にどちらの手で操作を行っているのかを判定し、操作を行っている方の手に適した入力操作が可能な画面表示を行う通信端末装置を提供することである。
【課題を解決するための手段】
【０００８】
上記目的を達成するために、本発明の通信端末装置は、表示部と、該表示部の表面に配置された入力部と、所定の画像を生成して前記表示部に表示させる画像制御部と、利き手判定部と、を備えた通信端末装置であって、該通信端末装置は、前記画像制御部がロック
画面を生成して前記表示部に表示するとともに前記入力部に対するロック解除操作以外の入力を受け付けないロックモードと、前記画像制御部が入力用の画像を右手入力用の配置態様で前記表示部に表示する右手操作モードと、前記画像制御部が入力用の画像を左手入力用の配置態様で前記表示部に表示する左手操作モードとを備えており、前記ロックモードにおいてユーザがロック解除操作を行った際に、前記利き手判定部は、右手によって操作されたか左手によって操作されたかを判定し、右手によって操作されたと判定した場合には、前記ロックモードを解除して前記右手操作モードに移行し、左手によって操作されたと判定した場合には前記ロックモードを解除して前記左手操作モードに移行することを特徴とする。
【０００９】
本発明の通信端末装置によれば、ユーザがロック解除操作を行った際に、右手による操作であるか左手による操作であるかを判定し、右手による操作である判定された場合には右手操作モードに移行し、左手による操作であると判定された場合には左手操作モードに移行することができる。これにより、ユーザに対して右手操作モードと左手操作モードのいずれのモードで操作を行うか設定させる必要がなくなり、ユーザの操作に合わせて自動的に右手／左手操作モードを設定することが可能となる。
【００１０】
上記通信端末装置の発明の一態様において、前記利き手判定部は、ロック解除操作時の入力軌跡の方向に基づいて右手によって操作されたか左手によって操作されたかを判定することを特徴とする。
【００１１】
上記本発明の通信端末装置の一態様によれば、ロック解除操作時の入力軌跡の方向に基づいて右手による操作か左手による操作かを判定するので、判定の方法が簡単であるだけでなく信頼度の高い判定結果を得ることが可能となる。
【００１２】
上記通信端末装置の発明の一態様において、前記利き手判定部は、ロック解除操作時に、ロック解除操作のための第１の接触とは異なる位置に対する第２の接触又は接近があった場合に、当該第２の接触又は近接が前記第１の接触の右側に位置するか左側に位置するかに基づいて右手によって操作されたか左手によって操作されたかを判定することを特徴とする。
【００１３】
上記本発明の通信端末装置の一態様によれば、ロック解除操作時に、ロック解除のための第１の接触以外に第２の接触があった場合に、第１の接触位置に対する第２の接触位置の関係に基づいて左手による操作か右手による操作かを判定する。右手で操作する場合には右手指は相対的に左上に位置するのに対し右手の腹は右下であり、左手による操作の場合には、左手指は相対的に右上に位置するのに対し左手の腹は左下であり、これは誰が操作した場合であっても変わらないので、信頼性の高い判定を行うことが可能となる。
【００１４】
上記通信端末装置の発明の一態様において、前記通信端末装置は、前記表示部の表面側に向けられた撮像部を備え、前記利き手判定部は、前記撮像部によって前記ロック解除操作時に撮影した映像に基づいて右手によって操作されたか左手によって操作されたかを判定することを特徴とする。
【００１５】
上記本発明の通信端末装置の一態様によれば、ロック解除操作時に、カメラ等の撮像部によってユーザの操作の状態を撮影し、この撮影画像に基づいて右手による操作であるか左手による操作であるかを判定するので、信頼性の高い判定を行うことが可能となる。
【００１６】
上記通信端末装置の発明の一態様において、前記利き手判定部によってどちらの手によって操作されたか判定できなかった場合に、前記通信端末装置が操作モードを設定する画面を前記表示部に表示することを特徴とする。
【００１７】
上記本発明の通信端末装置の一態様によれば、利き手判定部によってどちらの手によって操作されたか判定できなかった場合には、操作モードを設定する画面を表示する。これにより、自動的に操作モードを設定できない場合にのみユーザに操作モードの設定を行うことで、より正確に操作モードの設定を行うことが可能となる。
【発明の効果】
【００１８】
本発明によれば、通信端末装置のロック画面の解除操作を行う際に、自動的にどちらの手で操作を行っているのかを判定し、操作を行っている方の手に適した入力操作が可能な画面表示を行うことができる。従って、予めモード設定等の煩雑な設定操作をする必要がなくなる。
【図面の簡単な説明】
【００１９】
【図１】本実施形態のタブレット型コンピュータの内部ブロック図である。
【図２】本実施形態のタブレット型コンピュータのロック解除時の動作の一例を示すフローチャートである。
【図３】表示部に表示されるロック画面を示す図である。
【図４】右手操作モードに設定された際の、手書き文字入力画面を示す図である。
【図５】図３のロック画面を左手で解除する操作を行っている状態を示す図である。
【図６】左手操作モードに設定された際の、手書き文字入力画面を示す図である。
【図７】本実施形態のタブレット型コンピュータのロック解除時の動作の他の一例を示すフローチャートである。
【図８】ロック解除時に右手による操作か左手による操作かを判定できなかった場合の設定画面を示す図である。
【図９】本実施形態のタブレット型コンピュータのロック解除時の動作の他の一例を示すフローチャートである。
【発明を実施するための形態】
【００２０】
以下、図面を参照して、本発明に係る通信端末装置の一実施形態を詳細に説明する。なお、下記に示す実施形態は、本発明の通信端末装置としてタブレット型コンピュータを例示するものであって、本発明をこのタブレット型コンピュータに限定するものではなく、携帯情報端末、スマートフォン等、他の形態の通信端末装置にも等しく適用されるものであることは明らかである。
【実施例】
【００２１】
まず、図１を参照して、本実施形態の通信端末装置の１例としてのタブレット型コンピュータについて説明する。なお、図１は、本実施形態のタブレット型コンピュータの内部ブロック図である。
【００２２】
本実施例のタブレット型コンピュータ１０は、制御部１００、外部電源入力部１１０、二次電池１２０、無線通信部１３０、カメラ１４０、振動センサ１５０、角度センサ１６０、入力部１７０、表示部１８０、スピーカ１９０を備えて構成される。
【００２３】
制御部１００は、ＣＰＵ、ＲＡＭ、ＲＯＭ（図示せず）を備えて構成されるマイクロプロセッサであり、ＲＯＭに記憶されたプログラムをＣＰＵにおいて実行することによって、タブレット型コンピュータ１０の各機能の動作を制御・統括する。また、制御部１００は、画像制御部１０１、利き手判定部１０２、記憶部１０３として機能する。この制御部１００の各部の機能と動作については後で詳細に説明する。
【００２４】
外部電源入力部１１０は、電源コード接続用コネクタ、電圧制御回路、充電制御回路（
図示せず）等を備えて構成される。電源コード接続用コネクタは、タブレット型コンピュータ１０のハウジングの側面の一つに形成され、ここに電源コードプラグが接続される。電源コードプラグが電源コード接続用コネクタに接続されると、商用電源から変圧器等を介して所定電圧に降圧された直流電力がタブレット型コンピュータ１０に供給される。電圧制御回路は、供給された電力の電圧を一定値に調節し、タブレット型コンピュータ１０の各部に継続的に電力を供給する。
【００２５】
さらに、充電制御回路は、電源コード接続用コネクタに電源コードプラグが接続されているか否かを検知し、電源コードプラグが接続されており、後述する二次電池１２０が満充電状態でない場合には、所定電圧或いは所定電流の電力を二次電池１２０に対して供給することによって１２０を充電する。また、二次電池１２０が満充電状態になった場合には、二次電池１２０に対する充電を終了する。また、充電制御回路は、電源コード接続用コネクタに電源コードプラグが接続されていない場合に、二次電池１２０に充電されている電力を電圧制御回路に供給することによりタブレット型コンピュータ１０の各部に電力が供給されるようにする。
【００２６】
二次電池１２０は、タブレット型コンピュータ１０のハウジング内に電池パックの形態で収容される。二次電池１２０は、例えば、リチウムイオン二次電池である。
【００２７】
無線通信部１３０は、タブレット型コンピュータ１０が無線を使用してアクセスポイントとの間で通信を行うためのものである。タブレット型コンピュータ１０がアクセスポイントとの間で通信を行う際に、無線通信部１３０は通信セッションの確立、切断を含む制御を行う。また、送信するデータがある場合にはデータを符号化した後にパケット化し、所定周波数の無線を使用してアクセスポイントに対して送信を行う。また、アクセスポイントからデータを受信した場合には、パケットを組立てた後に複合化を行い、受信すべきデータを取得し、記憶部１０３に記憶する。
【００２８】
カメラ１４０は、タブレット型コンピュータ１０のハウジングの、後述する表示部１８０が設けられている面と同じ側に設けられる内蔵式カメラであり、ユーザが表示部１８０を操作する際に、ユーザの状態を撮影できるようになっている。
【００２９】
振動センサ１５０は、加速度センサによって構成され、タブレット型コンピュータ１０に加わる加速度を計測する。特に、タブレット型コンピュータ１０に加わる重力加速度の変化を検出し、制御部１００は検出された加速度の変化に基づいてタブレット型コンピュータ１０がどのような向きにあるのかを判定し、それに合わせて画像制御部１０１が表示部１８０に表示する画像の向きを縦向きにしたり横向きにしたりする。
【００３０】
角度センサ１６０は、角加速度センサによって構成され、タブレット型コンピュータ１０の単位時間当たりの回転角の変化を検出する。検出された回転角の変化は、カメラ１４０の手振れ検出等に使用される。
【００３１】
入力部１７０は、タッチパネル１７１とメカニカルスイッチ１７２より構成される。タッチパネル１７１は、表示部１８０の表面に設けられる。タッチパネル１７１は、ユーザが表示部１８０に表示されたソフトウェアボタンを視認しながらタッチパネル１７１の特定部位に手指やスタイラスによる接触を行った場合に、接触を検出した位置情報を出力する。メカニカルスイッチ１７２は、タブレット型コンピュータ１０のハウジングに設けられる押しボタンスイッチ等の機械的なスイッチであり、電源のオン／オフ、表示部１８０のオン／オフ等の操作、さらにはスピーカ１９０の音量の調節を行うために用いられる。
【００３２】
表示部１８０は、タブレット型コンピュータ１０の一方の面の大半を占める位置に設け
られており、液晶パネルユニット、或いは有機ＥＬパネルユニット等で構成されている。表示部１８０は、画像制御部１０１によって生成される各種画像、例えば、後述するロック画面、手書き文字入力画面、ソフトウェアボタン等を表示する。
【００３３】
スピーカ１９０は、タブレット型コンピュータ１０に内蔵されており、記憶部１０３に記憶された音声データ等が再生される際に、アンプ（図示せず）によって増幅された音声を出力する。
【００３４】
制御部１００の画像制御部１０１は、表示部１８０に表示するための各種画面を生成・制御する。例えば、画像制御部１０１は、ロック画面を生成して表示部１８０に表示する。ロック画面は、タブレット型コンピュータ１０の入力部１７０を一定時間操作しなかった場合に表示される画面であり、入力部１７０に対する所定の操作以外の操作を受け付けないようにしたり、ロック画面以外の画面を表示しないようにしたりすることによって、タブレット型コンピュータ１０の誤動作を防ぐものである。画像制御部１０１は、さらに、手書き文字入力画面や各種ソフトウェアボタン、ポップアップ表示等を生成して表示部１８０に表示させる。
【００３５】
制御部１００の利き手判定部１０２は、表示部１８０に表示されているロック画面を解除するための所定の操作を検出した際に、その操作をユーザが右手で行ったか左手で行ったかを判定する。具体的には、例えば、ロック画面を解除する操作を検出した際に、入力部１７０に対する入力軌跡の方向に基づいて右手による操作か左手による操作かを判定する。検出した入力軌跡が、表示部１８０の左側から右方向のものである場合、利き手判定部１０２は右手による操作であると判定する。一方、検出した入力軌跡が、表示部１８０の右側から左方向のものである場合、利き手判定部１０２は左手による操作であると判定する。
【００３６】
利き手判定部１０２による利き手判定の別の方法として、ロック画面を解除するため、入力部１７０に対して指等による第1の接触を検出した場合に、それに加えて手の腹等による第2の接触位置、或いは近接位置を検出し、第2の接触位置が第1の接触位置の右側にあれば、利き手判定部１０２は右手による操作であると判定し、第2の接触位置が第1の接触位置の左側にあれば、利き手判定部１０２は左手による操作であると判定する。或いは、ロック画面解除操作を検出している際に、カメラ１４０によって周辺映像を撮影し、利き手判定部１０２は撮影された映像に基づいて、右手による操作か左手による操作かを判定する。
【００３７】
制御部１００の記憶部１０３は、無線通信部１３０によってアクセスポイントとの間で送受信されるデータを記憶する。また、記憶部１０３は、右手操作用のソフトウェアボタン配置／左手操作用のソフトウェアボタン配置等の画像制御部１０１が各種表示画面を生成するために必要なデータを記憶している。さらに、記憶部１０３は、このタブレット型コンピュータ１０が右手操作モードに設定されているか左手操作モードに設定されているかを記憶する。
【００３８】
次に、図２〜図６を参照して、本実施形態のタブレット型コンピュータ１０のロック解除時の動作について詳細に説明する。なお、図２は、本実施形態のタブレット型コンピュータのロック解除時の動作の一例を示すフローチャートであり、図３は、本実施形態のタブレット型コンピュータの表示部に表示されるロック画面を示す図であり、図４は、右手操作モードに設定された際の、手書き文字入力画面を示す図であり、図５は、図３のロック画面を左手で解除する操作を行っている状態を示す図であり、図６は、左手操作モードに設定された際の、手書き文字入力画面を示す図である。
【００３９】
図２のステップS２０１において、タブレット型コンピュータ１０の入力部１７０を一定時間操作しなかった場合に、画像制御部１０１は記憶部１０３に記憶されているロック画面の画像を取得して表示部１８０に出力する。すると、表示部１８０には、図３に示すようなロック画面３００が表示される。ロック画面３００は、画面中央付近を左右に横断するようにロック解除バー３１０が表示される。ロック解除バー３１０は、左側に表示された第１可動要素３１１、右側に表示された第２可動要素３１２、及び第１可動要素３１１と第２可動要素３１２の間に表示される第３要素３１３を備えて構成される。
【００４０】
図３においては、第１可動要素３１１は右側を向いた矢印の形状であり、「右」の文字が表示されている。また、第２可動要素３１２は左側を向いた矢印の形状であり、「左」の文字が表示されている。さらに、第３要素３１３は、「く」の字を左右反転した形状の図形を複数連続して配置することによって構成される。なお、第１可動要素３１１と第２可動要素３１２は矢印の形状に限定される必要はなく、円形や他の形状であってもよい。また、第３要素３１３も、逆「く」の字の形状である必要はなく、第１可動要素３１１と第２可動要素３１２を結ぶ直線、或いは曲線等の線条であってもよいし、非表示の要素であってもよい。
【００４１】
ロック画面３００には、さらに、画面下部に複数のソフトウェアボタン３２０が表示される。ソフトウェアボタン３２０は、左側から順に「ＨＯＭＥ」ボタン３２１、「ＭＥＮＵ」ボタン３２２、「ＢＡＣＫ」ボタン３２３、「ＶＯＬ+」ボタン３２４、「ＶＯＬ−」ボタン３２５を備えて構成される。なお、これらのソフトウェアボタン３２０は、ロック画面３００表示時には、仮にユーザが操作を行った場合であっても操作を受け付けないようになっている。また、これらソフトウェアボタン３２０は、ロック画面３００の表示時には表示しないようにすることによってロック解除以外の操作を受け付けないようにしてもよい。
【００４２】
図２のステップＳ２０２において、ユーザがロック画面３００の第１可動要素３１１に触れたまま第２可動要素３１２に向かってスライド動作をした際、或いは、第２可動要素３１２に触れたまま第２可動要素３１２に向かってスライド動作をした際、制御部１００はこの操作をロック解除操作であると判断し、ステップＳ２０３の処理に進む。
【００４３】
ステップＳ２０３において、利き手判定部１０２は、ステップＳ２０２におけるロック解除操作が右手による操作かそれとも左手による操作かを判定する。具体的には、第１可動要素３１１に触れたまま第２可動要素３１２に向かってスライド移動した場合、つまり、スライド方向が左から右側である場合、利き手判定部１０２は、右手による操作であると判定し、ステップＳ２０４に進む。
【００４４】
ステップＳ２０４において、利き手判定部１０２は記憶部１０３にタブレット型コンピュータ１０の操作モードとして右手操作モードを設定する。また、画像制御部１０１は、記憶部１０３の操作モードを参照し、右手操作モードで表示画面を生成するために必要なソフトウェアボタン配置等のデータを取得し、図４に示すような右手操作モードにおける手書き文字入力画面４００を表示し、処理を終了する。
【００４５】
手書き文字入力画面４００は、表示部１８０の上部大半を占めるように表示される手書き文字入力領域４１０と、表示部１８０の下端に沿って表示されるソフトウェアボタン表示領域４２０より構成される。手書き文字入力領域４１０は表示部１８０の左側に表示され、右手指、或いは右手で把持されるスタイラス等による入力が行いやすくなる。また、入力した文字の左上に入力文字の判定結果が表示されるので、これらの入力文字の判定結果が右手で隠れてしまうことはない。ソフトウェアボタン表示領域４２０には、図３と同様に、左側から順に「ＨＯＭＥ」ボタン４２１、「ＭＥＮＵ」ボタン４２２、「ＢＡＣＫ
」ボタン４２３、「ＶＯＬ+」ボタン４２４、「ＶＯＬ−」ボタン４２５が表示される。このとき、ユーザは右手で操作を行うので、手の腹等が表示部１８０の右下の部分に接触したとしても、「ＨＯＭＥ」ボタン４２１や「ＢＡＣＫ」ボタン４２３等、誤って触れると誤動作してしまうソフトウェアボタンに触れてしまうことはない。
【００４６】
図５は、図３のロック画面を左手で解除する操作を行っている状態を示しているが、第２可動要素３１２に触れたまま第１可動要素３１１に向かってスライド移動、つまり、スライドの方向が右から左側である場合、利き手判定部１０２は、図2のステップS２０３において、左手による操作であると判定し、ステップS２０５の処理に進む。なお、図５では、第２可動要素３１２は左手のスライド移動に合わせて当初の位置よりも左側に移動して表示されている。
【００４７】
ステップＳ２０５において、利き手判定部１０２は記憶部１０３にタブレット型コンピュータ１０の操作モードとして左手操作モードを設定する。また、画像制御部１０１は、記憶部１０３の操作モードを参照し、左手操作モードで表示画面を生成するために必要なソフトウェアボタン配置等のデータを取得し、図６に示すような左手操作モードにおける手書き文字入力画面６００を表示し、処理を終了する。手書き文字入力画面６００は、表示部１８０の上部大半を占めるように表示される手書き文字入力領域６１０と、表示部１８０の下端に沿って表示されるソフトウェアボタン表示領域６２０より構成される。手書き文字入力領域６１０は表示部１８０の右側に表示され、左手指、或いは左手で把持されるスタイラス等による入力が行いやすくなる。また、入力した文字の右上に入力文字の判定結果が表示されるので、これらの入力文字の判定結果が左手で隠れてしまうことはない。
【００４８】
また、ソフトウェアボタン表示領域６２０には、左側から順に「ＶＯＬ−」ボタン６２１、「ＶＯＬ+」ボタン６２２、「ＢＡＣＫ」ボタン６２３、「ＭＥＮＵ」ボタン６２４、「ＨＯＭＥ」ボタン６２５が表示される。図４の右手用の手書き文字入力画面４００と左手用の手書き文字入力画面６００とを比較すると、右手用のソフトウェアボタン表示領域４２０のソフトウェアボタン４２１〜４２５の配置と、左手用のソフトウェアボタン表示領域６２０のソフトウェアボタン６２１〜６２５の配置は左右対称になっている。このとき、ユーザは左手で操作を行うので、手の腹等が表示部１８０の左下の部分に接触したとしても、「ＢＡＣＫ」ボタン６２３や「ＨＯＭＥ」ボタン６２５等、誤って触れると誤動作してしまうソフトウェアボタンに触れてしまうことはない。
【００４９】
次に、図７及び図８を参照して、本実施形態のタブレット型コンピュータのロック解除時の動作の他の一例を説明する。なお、図７は、本実施形態のタブレット型コンピュータのロック解除時の動作の他の一例を示すフローチャートであり、図８は、ロック解除時に右手による操作か左手による操作かを判定できなかった場合の設定画面を示す図である。
【００５０】
図７のステップＳ７０１において、タブレット型コンピュータ１０の入力部１７０を一定時間操作しなかった場合に、画像制御部１０１は表示部１８０に図３に示したのと同様のロック画面３００を表示する。なお、ここでロック画面を解除するために表示されるロック解除バーは、図３に示したような左右方向に横断する形状のものに限定される必要はなく、例えば上下方向のロック解除バー、或いは他のソフトウェアボタン（例えば鍵のマークのアイコン）に触れたあと所定の位置まで移動させる形態のものであってもよい。
【００５１】
ステップＳ７０２において、ロック画面３００の第１可動要素３１１に触れたまま第２可動要素３１２に向かってスライド動作をした場合、或いは第２可動要素３１２に触れたまま第１可動要素３１１に向かってスライド動作をした場合、或いは、他のソフトウェアボタン（アイコン）を所定の位置まで移動させるためのスライド動作をした場合、制御部
１００はこの操作をロック解除操作であると判断し、ステップＳ７０３に進む。
【００５２】
ステップＳ７０３において、利き手判定部１０２は、ロック解除操作時に、タッチパネル１７１上においてスライド動作が行われる第１の接触とは異なる位置に対する第２の接触又は接近があるか否かを判定する。ここで、第1の接触とは、ロック画面３００の第1可動要素３１１、第２可動要素３１２、或いはロック画面を解除するために表示される他のソフトウェアボタンのいずれかに対する接触のことを指し、第２の接触とは、第１の接触以外の部位に対する接触のことを指す。第２の接触又は接近があった場合には、利き手判定部１０２は、その接触又は接近が、スライド動作が行われている第１の接触に対して右側であるか否かを判定し、右側である場合には利き手判定部１０２は、右手による操作であると判定し、ステップＳ７０４に進み、右手による操作ではないと判定した場合にはステップＳ７０５に進む。
【００５３】
ステップＳ７０４において、利き手判定部１０２は記憶部１０３にタブレット型コンピュータ１０の操作モードとして右手操作モードを設定する。また、画像制御部１０１は、記憶部１０３に設定された操作モードを参照し、右手操作モードで表示画面を生成するために必要なソフトウェアボタン配置等のデータを取得し、図４に示すような右手操作モードにおける手書き文字入力画面４００を表示し、処理を終了する。
【００５４】
ステップＳ７０５において、利き手判定部１０２は、上記第２の接触又は接近があった場合に、その接触又は接近が、スライド動作が行われている第１の接触に対して左側であるか否かを判定し、左側である場合に、上記ロック解除操作が左手によるものであると判定し、ステップＳ７０６に進み、左手による操作でもないと判定した場合には、ステップＳ７０７に進む。
【００５５】
ステップＳ７０６において、利き手判定部１０２は記憶部１０３にタブレット型コンピュータ１０の操作モードとして左手操作モードを設定する。また、画像制御部１０１は、記憶部１０３に設定された操作モードを参照し、左手操作モードで表示画面を生成するために必要なソフトウェアボタン配置等のデータを取得し、図６に示すような左手操作モードにおける手書き文字入力画面６００を表示し、処理を終了する。
【００５６】
ステップＳ７０７において、利き手判定部１０２は右手によるロック解除操作なのか左手によるロック解除操作なのか判定できなかったので、図８に示すような設定画面８００を表示部１８０に表示するように画像制御部１０１に指示する。画像制御部１０１は記憶部１０３に記憶されている設定画面８００を呼び出して表示部１８０に表示し処理を終了する。
【００５７】
設定画面８００は、表示部１８０の右側に表示される右手操作設定ボタン８１０、左側に表示される左手操作設定ボタン８２０、及び右手操作設定ボタン８１０と左手操作設定ボタン８２０の中央部分に上下方向に配列表示されるソフトウェアボタン表示領域８３０から構成される。ソフトウェアボタン表示領域８３０には、上から順に「ＨＯＭＥ」ボタン８３１、「ＭＥＮＵ」ボタン８３２、「ＢＡＣＫ」ボタン８３３、「ＶＯＬ+」ボタン８３４、「ＶＯＬ−」ボタン８３５が表示される。
【００５８】
表示部１８０に表示された設定画面８００において、ユーザが右手操作設定ボタン８１０を選択した場合、利き手判定部１０２は、記憶部１０３にタブレット型コンピュータ１０の操作モードとして右手操作モードを設定し、画像制御部１０１は表示部１８０に図４に示すような右手操作モードにおける手書き文字入力画面４００を表示する。一方、ユーザが左手操作設定ボタン８２０を選択した場合、利き手判定部１０２は、記憶部１０３にタブレット型コンピュータ１０の操作モードとして左手操作モードを設定し、画像制御部
１０１は表示部１８０に図６に示すような左手操作モードにおける手書き文字入力画面６００を表示させる。
【００５９】
最後に、図９を参照して、本実施形態のタブレット型コンピュータのロック解除時の動作の他の一例を説明する。なお、図９は、本実施形態のタブレット型コンピュータのロック解除時の動作の他の一例を示すフローチャートである。
【００６０】
図９のステップＳ９０１において、タブレット型コンピュータ１０の入力部１７０を一定時間操作しなかった場合に、画像制御部１０１は表示部１８０に図３に示したのと同様のロック画面３００を表示する。なお、ここでロック画面を解除するために表示されるロック解除バーは、図３に示したような左右方向に横断する形状のものに限定される必要はなく、例えば上下方向のロック解除バー、或いは他のソフトウェアボタン（例えば鍵のマークのアイコン）に触れたあと所定の位置まで移動させる形態のものであってもよい。
【００６１】
ステップＳ９０２において、ロック画面３００の第１可動要素３１１、第２可動要素３１２、或いは他のソフトウェアボタン（アイコン）のいずれかに対する接触が検出された場合、制御部１００はロック解除操作が開始されたと判断し、ステップＳ９０３に進み、カメラ１４０を起動し、タブレット型コンピュータ１０の表示部１８０及びタッチパネル１７１側の映像を撮影し、記憶部１０３に記憶する。
【００６２】
次いで、ロック画面３００の第１可動要素３１１に触れたまま第２可動要素３１２に向かってスライド動作をした場合、或いは第２可動要素３１２に触れたまま第１可動要素３１１に向かってスライド動作をした場合、或いは、他のソフトウェアボタン（アイコン）を所定の位置まで移動させるためのスライド動作をした場合、制御部１００はこの操作をロック解除操作であると判断し、ステップＳ９０４に進む。
【００６３】
ステップＳ９０４において、利き手判定部１０２は、記憶部１０３に記憶されている、ステップＳ９０３において撮影された画像を解析し、右手による操作なのか左手による操作なのかを判定する。この解析方法は、例えば、撮影された画像の右側に手指と認められる映像が映っていれば右手による操作であると判定し、画像の左側に手指と認められる映像が映っていれば左手による操作であると判定する。或いは、撮影された画像の右側の方が暗い場合に右手による操作であると判定し、撮影された画像の左側の方が暗い場合は左手による操作であると判定するようにしてもよい。
【００６４】
ステップＳ９０４において、利き手判定部１０２により右手による操作であると判定された場合はステップＳ９０５に進み、左手による操作であると判定された場合、ステップＳ９０６に進み、いずれの手による操作であるか判定できなかった場合はステップＳ９０７に進む。
【００６５】
ステップＳ９０５において、利き手判定部１０２は記憶部１０３にタブレット型コンピュータ１０の操作モードとして右手操作モードを設定する。また、画像制御部１０１は、記憶部１０３に設定された操作モードを参照し、右手操作モードで表示画面を生成するために必要なソフトウェアボタン配置等のデータを取得し、図４に示すような右手操作モードにおける手書き文字入力画面４００を表示し、処理を終了する。
【００６６】
ステップＳ９０６において、利き手判定部１０２は記憶部１０３にタブレット型コンピュータ１０の操作モードとして左手操作モードを設定する。また、画像制御部１０１は、記憶部１０３に設定された操作モードを参照し、左手操作モードで表示画面を生成するために必要なソフトウェアボタン配置等のデータを取得し、図６に示すような左手操作モードにおける手書き文字入力画面６００を表示し、処理を終了する。
【００６７】
ステップＳ９０７において、利き手判定部１０２は右手によるロック解除操作なのか左手によるロック解除操作なのか判定できなかったので、図８に示すような設定画面８００を表示部１８０に表示するように画像制御部１０１に指示する。画像制御部１０１は記憶部１０３に記憶されている設定画面８００を呼び出して表示部１８０に表示し処理を終了する。
【００６８】
以上、説明したように、本実施形態のタブレット型コンピュータ１０においては、表示部１８０に表示されるロック画面の解除操作時に、右手による操作であるか左手による操作であるかを判定し、判定結果に応じて右手入力用の手書き文字入力画面或いは左手入力用の手書き文字入力画面を表示する例について説明した。しかし、本発明は上記の実施形態で説明された手書き文字入力画面のみに限定されることはなく、他の表示画面、例えば、テンキーを左右反転して配列したり、ポップアップ等の表示の向きを左右反対にして表示したりするような場合にも適用できる。
【００６９】
また、上記実施形態においては、右手による操作であるか左手による操作であるかは、ロック画面の解除操作時に行う例を説明したが、本発明は上記に限られず、例えば、使用時に、操作の対象となるべき位置以外の場所に対する接触を繰り返して検知した場合に、右手による操作であるか左手による操作であるかを判定するようにしてもよい。
【符号の説明】
【００７０】
１０    タブレット型コンピュータ（通信端末装置）
１００    制御部
１０１    画像制御部
１０２    利き手判定部
１０３    記憶部
１１０    外部電源入力部
１２０    二次電池
１３０    無線通信部
１４０    カメラ
１５０    振動センサ
１６０    角度センサ
１７０    入力部
１７１    タッチパネル
１７２    メカニカルスイッチ
１８０    表示部
１９０    スピーカ
【図１】
2014041498.tif 000003
【図２】
2014041498.tif 000004
【図３】
2014041498.tif 000005
【図４】
2014041498.tif 000006
【図５】
2014041498.tif 000007
【図６】
2014041498.tif 000008
【図７】
2014041498.tif 000009
【図８】
2014041498.tif 000010
【図９】
2014041498.tif 000011